(57)【特許請求の範囲】
【請求項１】
複数の無線端末に対してＳＧＳＮ（Ｓｅｒｖｉｃｅ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）経由で、同一のデータを配信するサービスを複数の無線基地局制御局を結ぶネットワークを介して行う移動体通信システムであって、
第１の無線基地局制御局と、
第２の無線基地局制御局と、
前記第１の無線基地局制御局と前記第２の無線基地局制御局とを結ぶネットワークとを含み、
前記無線端末のうちの１つの管理権を前記第１の無線基地局制御局から前記第２の無線基地局制御局に移す場合、前記無線端末のうちの１つに対する前記サービスの情報が、前記管理権を前記第１の無線基地局制御局から前記第２の無線基地局制御局に移す処理の後に、前記SGSNから前記第２の無線基地局制御局に転送され、
前記サービスは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）であり、
前記情報は、前記ＳＧＳＮから前記第２の無線基地局制御局にＭＢＭＳ  ＵＥ  Ｌｉｎｋｉｎｇメッセージを使って転送されることを特徴とする移動体通信システム。
【請求項２】
前記情報は、ＭＢＭＳサービス識別子と、ＩＰ（Ｉｎｔｅｒｎｅｔ  Ｐｒｏｔｏｃｏｌ）マルチキャストアドレスと、ＡＰＮ（Ａｃｃｅｓｓ  Ｐｏｉｎｔ  Ｎａｍｅ）とを含むことを特徴とする請求項１記載の移動体通信システム。
【請求項３】
複数の無線端末に対してＳＧＳＮ（Ｓｅｒｖｉｃｅ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）経由で、同一のデータを配信するサービスを複数の無線基地局制御局を結ぶネットワークを介して行う移動体通信システムの移動体通信方法であって、
前記移動体通信システムは、
第１の無線基地局制御局と、
第２の無線基地局制御局と、
前記第１の無線基地局制御局と前記第２の無線基地局制御局とを結ぶネットワークとを含み、
前記無線端末のうちの１つの管理権を第１の無線基地局制御局から第２の無線基地局制御局に移す場合、前記無線端末のうちの１つに対する前記サービスの情報が、前記管理権を前記第１の無線基地局制御局から前記第２の無線基地局制御局に移す処理の後に、前記SGSNから前記第２の無線基地局制御局に転送され、
前記サービスは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）であり、
前記情報は、前記ＳＧＳＮから前記第２の無線基地局制御局にＭＢＭＳ  ＵＥ  Ｌｉｎｋｉｎｇメッセージを使って転送されることを特徴とする移動体通信方法。
【請求項４】
前記情報は、ＭＢＭＳサービス識別子と、ＩＰ（Ｉｎｔｅｒｎｅｔ  Ｐｒｏｔｏｃｏｌ）マルチキャストアドレスと、ＡＰＮ（Ａｃｃｅｓｓ  Ｐｏｉｎｔ  Ｎａｍｅ）とを含むことを特徴とする請求項３記載の移動体通信方法。
【発明の詳細な説明】
【技術分野】
【０００１】
本発明は移動体通信システム及びそれに用いるＭＢＭＳサービスの関連情報転送方法に関し、特に移動体通信システムに用いられるマルチキャスト（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）サービスに関する。
【背景技術】
【０００２】
移動体通信システムのマルチキャストはＭＢＭＳと称されており、セルに在圏している無線端末（ＵＥ：Ｕｓｅｒ  Ｅｑｕｉｐｍｅｍｔ）に対して、同一のコンテンツデータを配信する機能である。
【０００３】
このＭＢＭＳ機能における無線基地局制御局（ＲＮＣ：Ｒａｄｉｏ  Ｎｅｔｗｏｒｋ  Ｃｏｎｔｒｏｌｌｅｒ）は、セルに在圏し、ＭＢＭＳサービスにジョインし、コンテンツデータを受信する予定の無線端末（ＵＥ：Ｕｓｅｒ  Ｅｑｕｉｐｍｅｎｔ）の数を知ることによって、コンテンツデータを当該セルで各無線端末に対して、ＰｔＰ（Ｐｏｉｎｔ  ｔｏ  Ｐｏｉｎｔ）方式で転送するか、ＰｔＭ（Ｐｏｉｎｔ  ｔｏ  Ｍｕｌｔｉｐｏｉｎｔ）方式で転送するかを決めている。
【０００４】
すなわち、無線端末の数が予め無線基地局制御局内に設定してある閾値を上回ればＰｔＭ方式でコンテンツデータを転送し、逆に無線端末の数がその閾値を下回ればＰｔＰ方式でコンテンツデータを転送する。
【０００５】
ＰｔＰ方式で転送するということは無線上の個別チャネルで転送することを指し、ＰｔＭ方式で転送するということは無線上の共通チャネルで転送することを指している。コンテンツデータをＰｔＰ方式またはＰｔＭ方式のいずれの方式で転送するのかを無線端末の数によって決めるのは、無線送信電力の節約を考慮したためである。
【０００６】
無線基地局制御局が当該セル内の無線端末の数を知る方法としては、ＭＢＭＳ  Ｎｏｔｉｆｉｃａｔｉｏｎというメッセージを送信し、そのＭＢＭＳ  Ｎｏｔｉｆｉｃａｔｉｏｎメッセージに対して応答してきた無線端末の数をカウントする方法が採用されている（例えば、非特許文献１参照）。
【０００７】
次に、無線基地局制御局のＭＢＭＳ制御処理について説明する。図４及び図５は無線基地局制御局のメモリ内で記憶しているコンテキスト情報であり、図４に示すコンテキスト情報は「ＵＥ  Ｃｏｎｔｅｘｔ」といい、図５に示すコンテキスト情報は「ＭＢＭＳ  Ｓｅｒｖｉｃｅ  Ｃｏｎｔｅｘｔ」という。
【０００８】
図４の「ＵＥ  Ｃｏｎｔｅｘｔ」には、無線端末が通常の通信（音声通信やパケット通信）時に、無線基地局制御局が無線端末を制御するための情報［ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：無線端末の固定識別子）、ＲＲＣ（Ｒａｄｉｏ  Ｒｅｓｏｕｒｃｅ  Ｃｏｎｔｒｏｌ）  Ｓｔａｔｅ、ＲＡＢ（Ｒａｄｉｏ  Ａｃｃｅｓｓ  Ｂｅａｒｅｒ）  Ｉｎｆｏ、位置情報（無線端末が位置するセル情報）等］が記憶されている。この「ＵＥ  Ｃｏｎｔｅｘｔ」は、無線端末がネットワークと通常の通信（音声通信やパケット通信）を開始する時に、無線基地局
制御局が生成するものである。
【０００９】
図５の「ＭＢＭＳ  Ｓｅｒｖｉｃｅ  Ｃｏｎｔｅｘｔ」はＭＢＭＳサービス毎に存在し、無線基地局制御局がＭＢＭＳサービスを制御するための情報［ＩＰ（Ｉｎｔｅｒｎｅｔ  Ｐｒｏｔｏｃｏｌ）  Ｍｕｌｔｉｃａｓｔ  Ａｄｄｒｅｓｓ（ＭＢＭＳサービスのコンテンツデータを送出するサーバのＩＰアドレス），ＡＰＮ｛Ａｃｃｅｓｓ  Ｐｏｉｎｔ  Ｎａｍｅ：この例ではＧＧＳＮ（Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）｝，ＭＢＭＳサービスＩＤ（ＭＢＭＳサービスの識別子），ＭＢＭＳ  ＲＡＢ  Ｉｎｆｏ（ＭＢＭＳサービスのコンテンツデータを転送するためのＲＡＢ情報）等］及び該ＭＢＭＳサービスにジョインした無線端末のＩＭＳＩをセル毎に記憶する。
【００１０】
この「ＭＢＭＳ  Ｓｅｒｖｉｃｅ  Ｃｏｎｔｅｘｔ」はＳＧＳＮ（Ｓｅｒｖｉｎｇ  ＧＰＲＳ  Ｓｕｐｐｏｒｔ  Ｎｏｄｅ）からＳｅｓｓｉｏｎ  Ｓｔａｒｔメッセージ（図１０のｅ１〜ｅ１１参照）を受信した時に、無線基地局制御局が生成する。そのほか、無線端末がＭＢＭＳサービスにジョインした後に、通常の通信（音声通信やパケット通信）を開始する時にも、無線基地局制御局がこの「ＭＢＭＳ  Ｓｅｒｖｉｃｅ  Ｃｏｎｔｅｘｔ」を生成する。この時、図４に示すような「ＭＢＭＳ  ＵＥ  Ｃｏｎｔｅｘｔ  Ｉｎｆｏ」も生成し、「ＵＥ  Ｃｏｎｔｅｘｔ」の中に記憶する。
【００１１】
無線端末がＭＢＭＳサービスにジョインした後に、通常の通信（音声通信やパケット通信）を開始する時にも、無線基地局制御局がこの「ＭＢＭＳ  Ｓｅｒｖｉｃｅ  Ｃｏｎｔｅｘｔ」を生成するのであれば、後に無線基地局制御局はＳＧＳＮからＳｅｓｓｉｏｎ  Ｓｔａｒｔメッセージを受信する時、その時点において、該ＭＢＭＳサービスにジョインした無線端末の数を知ることができ、ＭＢＭＳサービスのコンテンツデータをＰｔＰ方式で転送するのか、ＰｔＭ方式で転送するのかを決めることができる。
【００１２】
無線基地局制御局がＳｅｓｓｉｏｎ  Ｓｔａｒｔメッセージを受信した後で、もうすぐＭＢＭＳサービスのコンテンツデータが転送開始されることを通知するため、ＭＢＭＳ  Ｎｏｔｉｆｉｃａｔｉｏｎメッセージを無線上の共通チャネルで送信する。
【００１３】
また、無線端末はその状態によって、無線上の共通チャネルに送信されるＭＢＭＳ  Ｎｏｔｉｆｉｃａｔｉｏｎメッセージを受信できないこともある。例えば、無線端末が個別チャネルで通信中の場合、無線上の共通チャネルを受信することができない。この場合、無線基地局制御局は図４に示す「ＵＥ  Ｃｏｎｔｅｘｔ」の中にあるＲＲＣ  Ｓｔａｔｅを見て、無線端末が無線上の共通チャネルでＭＢＭＳ  Ｎｏｔｉｆｉｃａｔｉｏｎメッセージを受信できない状態（例えば、個別チャネルで通信中の状態）であれば、個別チャネルでＭＢＭＳ  Ｎｏｔｉｆｉｃａｔｉｏｎメッセージを無線端末に送信し、もうすぐＭＢＭＳサービスのコンテンツデータが転送されることを通知する。
【００１４】
ネットワークと通信中の無線端末を管理している無線基地局制御局はサービング無線基地局制御局（Ｓｅｒｖｉｎｇ  ＲＮＣ）といい、「ＵＥ  Ｃｏｎｔｅｘｔ」をもって無線端末の移動管理等を行う。
【００１５】
無線端末がサービング無線基地局制御局のエリアから隣り合わせの無線基地局制御局のエリアに移動した時、回線利用効率のため、サービング無線基地局制御局は無線端末の管理権を移動先の無線基地局制御局に移すために、リロケーション（Ｒｅｌｏｃａｔｉｏｎ）を実行する。
【００１６】
リロケーションの手順を実行中に、サービング無線基地局制御局はリロケーション元の無線基地局制御局となる。このリロケーション元の無線基地局制御局はソース無線基地局制御局（Ｓｏｕｒｃｅ  ＲＮＣ）といい、リロケーション先の無線基地局制御局はターゲット無線基地局制御局（Ｔａｒｇｅｔ  ＲＮＣ）という。
【００１７】
リロケーションを実行した場合、現状のシステムの仕様だと、無線端末があるＭＢＭＳサービスにジョインしたにもかかわらず、無線端末がジョインしたＭＢＭＳサービスの関連情報（図４の「ＭＢＭＳ  ＵＥ  Ｃｏｎｔｅｘｔ  Ｉｎｆｏ」の情報）をソース無線基地局制御局からリロケーション先のターゲット無線基地局制御局に通知しないようになっているのである。
【００１８】
具体的に、図２と図３と図１１とを参照して説明すると、無線端末はソース無線基地局制御局のエリアでネットワークと通信中（図２に示す状態）に、あるＭＢＭＳサービスにジョインしたものとする。ソース無線基地局制御局は無線端末があるＭＢＭＳサービスにジョインする手順中に、無線端末がジョインしたＭＢＭＳサービスの関連情報をメモリに記憶する（図４の「ＭＢＭＳ  ＵＥ  Ｃｏｎｔｅｘｔ」が生成される）（図１１のｆ１）。メモリに記憶するのは、上記のＰｔＰ方式かＰｔＭ方式かを決めるためでもある。
【００１９】
無線端末がソース無線基地局制御局のエリアからターゲット無線基地局制御局のエリアへと移動し、ソース無線基地局制御局がリロケーションの手順を実行すると決定したものとする（図１１のｆ２）。
【００２０】
ソース無線基地局制御局はＲｅｌｏｃａｔｉｏｎ  ＲｅｑｕｉｒｅｄメッセージをＳＧＳＮに送信し（図１１のｆ３）、ＳＧＳＮはＲｅｌｏｃａｔｉｏｎ  Ｒｅｑｕｅｓｔメッセージをターゲット無線基地局制御局に送信する（図１１のｆ４）。現状の仕様において、この時、無線端末がジョインしたＭＢＭＳサービスの関連情報はターゲット無線基地局制御局に転送されない。
【００２１】
無線端末がジョインしたＭＢＭＳサービスの関連情報が転送されないので、ターゲット無線基地局制御局における「ＵＥ  Ｃｏｎｔｅｘｔ（図４参照）」の中に、「ＭＢＭＳ  ＵＥ  Ｃｏｎｔｅｘｔ  Ｉｎｆｏ」が存在しておらず、「ＭＢＭＳ  Ｓｅｒｖｉｃｅ  Ｃｏｎｔｅｘｔ（図５参照）」の中に、無線端末のＩＭＳＩが記憶されないのである（図１１のｆ５〜ｆ１３）。
【００２２】
【非特許文献１】“Ｍｕｌｔｉｍｅｄｉａ  Ｂｒｏａｄｃａｓｔ  Ｍｕｌｔｉｃａｓｔ  Ｓｅｒｖｉｃｅ”（３ＧＰＰ  ＴＳ２３．２４６  ｖｅｒｓｉｏｎ６．０．０  ２００３−０９）
【発明の開示】
【発明が解決しようとする課題】
【００２３】
上述した従来のリロケーション手順では、その手順が終了した後（図３に示す状態）、無線端末がジョインしたＭＢＭＳサービスのコンテンツデータは転送が開始されることを意味するＳｅｓｓｉｏｎ  Ｓｔａｒｔメッセージ（図１０参照）がＳＧＳＮから送られたとしても、ターゲット無線基地局制御局が、リロケーション中に無線端末がジョインしたＭＢＭＳサービスの関連情報を知らないため、以下のことを行うことができない。
【００２４】
（１）無線端末が該ＭＢＭＳサービスにジョインしたにもかかわらず、ターゲット無線基地局制御局は無線端末がジョインしたＭＢＭＳサービスの関連情報を持っていないため、ＭＢＭＳサービスのコンテンツデータの転送方式（ＰｔＰ方式か、ＰｔＭ方式か）を正確に決めることができない。
【００２５】
（２）ターゲット無線基地局制御局は、ＳＧＳＮからＳｅｓｓｉｏｎ  Ｓｔａｒｔメッセージ（図１０参照）を受信し、もうすぐＭＢＭＳサービスのコンテンツデータが転送されることを通知するために、無線上の共通チャネルでＭＢＭＳ  Ｎｏｔｉｆｉｃａｔｉｏｎメッセージを送信する。
【００２６】
しかしながら、ターゲット無線基地局制御局は、無線端末がジョインしたＭＢＭＳサービスの関連情報を持っていないため、例え無線端末がその時の状態で無線上の共通チャネルを受信できないとしても、ＭＢＭＳ  Ｎｏｔｉｆｉｃａｔｉｏｎメッセージを個別チャネルで無線端末に送信することはない。よって、無線端末はもうすぐＭＢＭＳサービスのコンテンツデータが転送されることを知ることができない。
【００２７】
（３）ターゲット無線基地局制御局は、無線端末がＭＢＭＳサービスにジョインしたにもかかわらず、無線端末がジョインしたＭＢＭＳサービスの関連情報を持っていないため、ＰｔＰ方式でＭＢＭＳサービスのコンテンツデータを転送したとしても、該無線端末を対象外とする。
【００２８】
そのため、ターゲット無線基地局制御局がＰｔＰ方式でＭＢＭＳサービスのコンテンツデータを転送すると決めた場合、無線端末は該ＭＢＭＳサービスのコンテンツデータを受信することができない。
【００２９】
そこで、本発明の目的は上記の問題点を解消し、ターゲット無線基地局制御局が正確にＰｔＰ方式かＰｔＭ方式かを決めることができ、ターゲット無線基地局制御局が無線端末に対してＭＢＭＳサービスのコンテンツデータの転送が開始されることを通知することができる移動体通信システム及びそれに用いるＭＢＭＳサービスの関連情報転送方法を提供することにある。
【課題を解決するための手段】
【００３０】
本発明による移動体通信システムは、複数の無線端末に対してＳＧＳＮ（Ｓｅｒｖｉｃｅ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）経由で、同一のデータを配信するサービスを複数の無線基地局制御局を結ぶネットワークを介して行う移動体通信システムであって、第１の無線基地局制御局と、第２の無線基地局制御局と、前記第１の無線基地局制御局と前記第２の無線基地局制御局とを結ぶネットワークとを含み、前記無線端末のうちの１つの管理権を前記第１の無線基地局制御局から前記第２の無線基地局制御局に移す場合、前記無線端末のうちの１つに対する前記サービスの情報が、前記管理権を前記第１の無線基地局制御局から前記第２の無線基地局制御局に移す処理の後に、前記SGSNから前記第２の無線基地局制御局に転送され、前記サービスは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）であり、前記情報は、前記ＳＧＳＮから前記第２の無線基地局制御局にＭＢＭＳ  ＵＥ  Ｌｉｎｋｉｎｇメッセージを使って転送されることを特徴とする。
【００３１】
また、本発明による移動体通信方法は、複数の無線端末に対してＳＧＳＮ（Ｓｅｒｖｉｃｅ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）経由で、同一のデータを配信するサービスを複数の無線基地局制御局を結ぶネットワークを介して行う移動体通信システムの移動体通信方法であって、前記移動体通信システムは、第１の無線基地局制御局と、第２の無線基地局制御局と、前記第１の無線基地局制御局と前記第２の無線基地局制御局とを結ぶネットワークとを含み、前記無線端末のうちの１つの管理権を第１の無線基地局制御局から第２の無線基地局制御局に移す場合、前記無線端末のうちの１つに対する前記サービスの情報が、前記管理権を前記第１の無線基地局制御局から前記第２の無線基地局制御局に移す処理の後に、前記SGSNから前記第２の無線基地局制御局に転送され、前記サービスは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）であり、前記情報は、前記ＳＧＳＮから前記第２の無線基地局制御局にＭＢＭＳ  ＵＥ  Ｌｉｎｋｉｎｇメッセージを使って転送されることを特徴とする。
【発明の効果】
【００３２】
本発明は、以下に述べるような構成及び動作とすることで、ターゲット無線基地局制御局が正確にＰｔＰ方式かＰｔＭ方式かを決めることができ、ターゲット無線基地局制御局が無線端末に対してＭＢＭＳサービスのコンテンツデータの転送が開始されることを通知することができるという効果が得られる。
【発明を実施するための最良の形態】
【００３３】
次に、本発明の実施例について図面を参照して説明する。図１は本発明の第１の実施例による移動体通信システムの構成を示すブロック図である。本発明の第１の実施例による移動体通信システムは、セルに在圏している無線端末（ＵＥ：Ｕｓｅｒ  Ｅｑｕｉｐｍｅｍｔ）に対して、同一のコンテンツデータを配信するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスを提供するためのシステムである。
【００３４】
図１において、本発明の第１の実施例による移動体通信システムは無線端末１と、無線基地局２と、無線基地局制御局（ＲＮＣ：Ｒａｄｉｏ  Ｎｅｔｗｏｒｋ  Ｃｏｎｔｒｏｌｌｅｒ）３と、ＳＧＳＮ［Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］４と、ＨＬＲ（Ｈｏｍｅ  Ｌｏｃａｔｉｏｎ  Ｒｅｇｉｓｔｅｒ）５と、ＧＧＳＮ（Ｇａｔｅｗａｙ  ＧＰＲＳ  Ｓｕｐｐｏｒｔ  Ｎｏｄｅ）６と、ＭＢＭＳ制御装置（ＢＭＳＣ：Ｂｒｏａｄｃａｓｔ  Ｍｕｌｔｉｃａｓｔ  Ｓｅｒｖｉｃｅ  Ｃｅｎｔｒｅ）７と、コンテンツサーバ８，９とから構成されている。尚、これらの装置は公知であるので（例えば、非特許文献１参照）、その構成や動作についての説明は省略する。
【００３５】
図２は図１の無線端末１がソース無線基地局制御局（Ｓｏｕｒｃｅ  ＲＮＣ）と通信している状態（リロケーション前の状態）を示す図であり、図３は図１の無線端末１がターゲット無線基地局制御局（Ｔａｒｇｅｔ  ＲＮＣ）と通信している状態（リロケーション後の状態）を示す図である。
【００３６】
図４は図１の無線基地局制御局３におけるＵＥ  Ｃｏｎｔｅｘｔを示す図であり、図５は図１の無線基地局制御局３におけるＭＢＭＳ  Ｓｅｒｖｉｃｅ  Ｃｏｎｔｅｘｔを示す図である。これら図１〜図５を参照して無線基地局制御局３のＭＢＭＳ制御処理について説明する。
【００３７】
図４及び図５に示すコンテキスト情報は無線基地局制御局３のメモリ（図示せず）内で記憶している情報であり、図４に示すコンテキスト情報は「ＵＥ  Ｃｏｎｔｅｘｔ」といい、図５に示すコンテキスト情報は「ＭＢＭＳ  Ｓｅｒｖｉｃｅ  Ｃｏｎｔｅｘｔ」という。
【００３８】
図４の「ＵＥ  Ｃｏｎｔｅｘｔ」には、無線端末１が通常の通信（音声通信やパケット通信）時に、無線基地局制御局３が無線端末１を制御するための情報［ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：無線端末の固定識別子）、ＲＲＣ（Ｒａｄｉｏ  Ｒｅｓｏｕｒｃｅ  Ｃｏｎｔｒｏｌ）  Ｓｔａｔｅ、ＲＡＢ（Ｒａｄｉｏ  Ａｃｃｅｓｓ  Ｂｅａｒｅｒ）  Ｉｎｆｏ、位置情報（無線端末１が位置するセル情報）等］が記憶されている。この「ＵＥ  Ｃｏｎｔｅｘｔ」は、無線端末１がネットワーク（図示せず）と通常の通信（音声通信やパケット通信）を開始する時に、無線基地局制御局３が生成するものである。
【００３９】
図５の「ＭＢＭＳ  Ｓｅｒｖｉｃｅ  Ｃｏｎｔｅｘｔ」はＭＢＭＳサービス毎に存在し、無線基地局制御局３がＭＢＭＳサービスを制御するための情報［ＩＰ（Ｉｎｔｅｒｎｅｔ  Ｐｒｏｔｏｃｏｌ）  Ｍｕｌｔｉｃａｓｔ  Ａｄｄｒｅｓｓ（ＭＢＭＳサービスのコンテンツデータを送出するサーバのＩＰアドレス），ＡＰＮ（Ａｃｃｅｓｓ  Ｐｏｉｎｔ  Ｎａｍｅ：この例ではＧＧＳＮ６），ＭＢＭＳサービスＩＤ（ＭＢＭＳサービスの識別子），ＭＢＭＳ  ＲＡＢ  Ｉｎｆｏ（ＭＢＭＳサービスのコンテンツデータを転送するためのＲＡＢ情報）等］及び該ＭＢＭＳサービスにジョインした無線端末１のＩＭＳＩをセル毎に記憶する。
【００４０】
この「ＭＢＭＳ  Ｓｅｒｖｉｃｅ  Ｃｏｎｔｅｘｔ」はＳＧＳＮ４からＳｅｓｓｉｏｎ  Ｓｔａｒｔメッセージ（図１０のｅ１〜ｅ１１参照）を受信した時に、無線基地局制御局３が生成する。そのほか、無線端末１がＭＢＭＳサービスにジョインした後に、通常の通信（音声通信やパケット通信）を開始する時にも、無線基地局制御局３がこの「ＭＢＭＳ  Ｓｅｒｖｉｃｅ  Ｃｏｎｔｅｘｔ」を生成する。この時、図４に示すような「ＭＢＭＳ  ＵＥ  Ｃｏｎｔｅｘｔ  Ｉｎｆｏ」も生成し、「ＵＥ  Ｃｏｎｔｅｘｔ」の中に記憶する。
【００４１】
無線端末１がＭＢＭＳサービスにジョインした後に、通常の通信（音声通信やパケット通信）を開始する時にも、無線基地局制御局３がこの「ＭＢＭＳ  Ｓｅｒｖｉｃｅ  Ｃｏｎｔｅｘｔ」を生成するのであれば、後に無線基地局制御局３はＳＧＳＮ４からＳｅｓｓｉｏｎ  Ｓｔａｒｔメッセージを受信する時、その時点において、該ＭＢＭＳサービスにジョインした無線端末の数を知ることができ、ＭＢＭＳサービスのコンテンツデータをＰｔＰ方式で転送するのか、ＰｔＭ方式で転送するのかを決めることができる。
【００４２】
無線基地局制御局３がＳｅｓｓｉｏｎ  Ｓｔａｒｔメッセージを受信した後で、もうすぐＭＢＭＳサービスのコンテンツデータが転送開始されることを通知するため、ＭＢＭＳ  Ｎｏｔｉｆｉｃａｔｉｏｎメッセージを無線上の共通チャネルで送信する。
【００４３】
また、無線端末１はその状態によって、無線上の共通チャネルに送信されるＭＢＭＳ  Ｎｏｔｉｆｉｃａｔｉｏｎメッセージを受信できないこともある。例えば、無線端末１が個別チャネルで通信中の場合、無線上の共通チャネルを受信することができない。この場合、無線基地局制御局３は図４に示す「ＵＥ  Ｃｏｎｔｅｘｔ」の中にあるＲＲＣ  Ｓｔａｔｅを見て、無線端末１が無線上の共通チャネルでＭＢＭＳ  Ｎｏｔｉｆｉｃａｔｉｏｎメッセージを受信できない状態（例えば、個別チャネルで通信中の状態）であれば、個別チャネルでＭＢＭＳ  Ｎｏｔｉｆｉｃａｔｉｏｎメッセージを無線端末１に送信し、もうすぐＭＢＭＳサービスのコンテンツデータが転送されることを通知する。
【００４４】
ネットワークと通信中の無線端末１を管理している無線基地局制御局３ａはサービング無線基地局制御局（Ｓｅｒｖｉｎｇ  ＲＮＣ）といい、「ＵＥ  Ｃｏｎｔｅｘｔ」をもって無線端末１の移動管理等を行う。
【００４５】
無線端末１がサービング無線基地局制御局（無線基地局制御局３ａ）のエリアＡから隣り合わせの無線基地局制御局３ｂのエリアＢに移動した時、回線利用効率のため、サービング無線基地局制御局は無線端末１の管理権を移動先の無線基地局制御局３ｂに移すために、リロケーション（Ｒｅｌｏｃａｔｉｏｎ）を実行する。
【００４６】
リロケーションの手順を実行中に、サービング無線基地局制御局はリロケーション元の無線基地局制御局となる。このリロケーション元の無線基地局制御局３ａはソース無線基地局制御局（Ｓｏｕｒｃｅ  ＲＮＣ）といい、リロケーション先の無線基地局制御局３ｂはターゲット無線基地局制御局（Ｔａｒｇｅｔ  ＲＮＣ）という。
【００４７】
リロケーションを実行した場合、現状のシステムの仕様だと、無線端末１があるＭＢＭＳサービスにジョインしたにもかかわらず、無線端末１がジョインしたＭＢＭＳサービスの関連情報（図４の「ＭＢＭＳ  ＵＥ  Ｃｏｎｔｅｘｔ  Ｉｎｆｏ」の情報）をソース無線基地局制御局３ａからリロケーション先のターゲット無線基地局制御局３ｂに通知しないようになっている。
【００４８】
尚、図２及び図３において、リロケーション元の無線基地局制御局３ａのエリアＡには無線基地局２ａ−１〜２ａ−４が配設され、リロケーション先の無線基地局制御局３ｂのエリアＢには無線基地局２ｂ−１〜２ｂ−４が配設されている。
【００４９】
図６は本発明の第１の実施例によるリロケーション手順中にＭＢＭＳサービスの関連情報の転送を行う動作を示すシーケンスチャートである。これら図１〜図６を参照して本発明の第１の実施例によるリロケーション手順中にＭＢＭＳサービスの関連情報の転送を行う動作について説明する。
【００５０】
無線端末１がソース無線基地局制御局３ａを通じて、ネットワークと通信中（図２参照）に、ＭＢＭＳサービスにジョインすると、ソース無線基地局制御局３ａは無線端末１がジョインしたＭＢＭＳサービスの関連情報をメモリに記憶する（図６のａ１）。尚、無線端末１がＭＢＭＳサービスにジョインする場合には、図１のＭＢＭＳ制御装置７にジョインすることとなる。
【００５１】
無線端末１がソース無線基地局制御局３ａのエリアＡからターゲット無線基地局制御局３ｂのエリアＢに移動すると、ソース無線基地局制御局３ａはリロケーション手順ａを実行することを決める（図６のａ２）。
【００５２】
ソース無線基地局制御局３ａはＲｅｌｏｃａｔｉｏｎ  Ｒｅｑｕｉｒｅｄメッセージに無線端末１がジョインしたＭＢＭＳサービスの関連情報（ＭＢＭＳサービスＩＤ、ＩＰ  Ｍｕｌｔｉｃａｓｔ  Ａｄｄｒｅｓｓ、ＡＰＮ等）を設定し、ＳＧＳＮ４に送信する（図６のａ３）。該ＭＢＭＳサービスの関連情報はＳＧＳＮ４が解釈せず、単にトランスペアレントするところに設定する。あるいは、該ＭＢＭＳサービスの関連情報はＳＧＳＮ４が解釈することも可能である。
【００５３】
ＳＧＳＮ４はＲｅｌｏｃａｔｉｏｎ  Ｒｅｑｕｉｒｅｄメッセージを受信すると、ターゲット無線基地局制御局３ｂにＲｅｌｏｃａｔｉｏｎ  Ｒｅｑｕｅｓｔメッセージを送信する（図６のａ４）。この時、ＳＧＳＮ４はソース無線基地局制御局３ａが設定したＭＢＭＳサービスの関連情報（無線端末１がジョインしたＭＢＭＳサービスの関連情報）を解釈せず、そのままＲｅｌｏｃａｔｉｏｎ  Ｒｅｑｕｅｓｔメッセージにて転送する。あるいは、ＳＧＳＮ４はソース無線基地局制御局３ａが設定したＭＢＭＳサービスの関連情報を解釈し、Ｒｅｌｏｃａｔｉｏｎ  Ｒｅｑｕｉｒｅｄメッセージから取出したＭＢＭＳサービスの関連情報をＲｅｌｏｃａｔｉｏｎ  Ｒｅｑｕｅｓｔメッセージにて転送する。
【００５４】
ターゲット無線基地局制御局３ｂは無線端末１との通信を行うための無線リソースを設定する（図６のａ５）。ターゲット無線基地局制御局３ｂはＲｅｌｏｃａｔｉｏｎ  ＲｅｑｕｉｒｅｄメッセージにあるＭＢＭＳサービスの関連情報（無線端末１がジョインしたＭＢＭＳサービスの関連情報）をメモリに記憶する（図６のａ６）。
【００５５】
具体的に、ＵＥ  Ｃｏｎｔｅｘｔ（図４）を生成すると同時に、ＭＢＭＳ  ＵＥ  Ｃｏｎｔｅｘｔ  Ｉｎｆｏを作成し、無線端末１がジョインしたＭＢＭＳサービス関連情報を記憶する。ＭＢＭＳサービス関連情報とは、ＭＢＭＳサービスＩＤ，ＩＰ  Ｍｕｌｔｉｃａｓｔ  Ａｄｄｒｅｓｓ、ＡＰＮなどである。また、該ＭＢＭＳサービスに対応するＭＢＭＳ  Ｓｅｒｖｉｃｅ  Ｃｏｎｔｅｘｔが存在していないならば、生成し、ＭＢＭＳサービスＩＤ，ＩＰ  Ｍｕｌｔｉｃａｓｔ  Ａｄｄｒｅｓｓ、ＡＰＮ、ＭＢＭＳ  ＲＡＢ  Ｉｎｆｏ，及び該ＭＢＭＳサービスにジョインした無線端末１のＩＭＳＩをセルごとに記憶する。
【００５６】
ターゲット無線基地局制御局３ｂはＲｅｌｏｃａｔｉｏｎ  Ｒｅｑｕｅｓｔ  ＡｃｋｎｏｗｌｅｄｇｅメッセージをＳＧＳＮ４に送信する（図６のａ７）。ＳＧＳＮ４はソース無線基地局制御局３ａにＲｅｌｏｃａｔｉｏｎ  Ｃｏｍｍａｎｄメッセージを送信する  （図６のａ８）。
【００５７】
ソース無線基地局制御局３ａはＲｅｌｏｃａｔｉｏｎ  Ｃｏｍｍａｎｄメッセージを受信すると、Ｒｅｌｏｃａｔｉｏｎ  Ｃｏｍｍｉｔメッセージをターゲット無線基地局制御局３ｂに送信する（図６のａ９）。ターゲット無線基地局制御局３ｂはＲｅｌｏｃａｔｉｏｎ  Ｃｏｍｍｉｔメッセージを受信すると、Ｒｅｌｏｃａｔｉｏｎ  ＤｅｔｅｃｔメッセージをＳＧＳＮ４に送信し（図６のａ１０）、ＲＡＮ  Ｍｏｂｉｌｉｔｙ  Ｉｎｆｏｍａｔｉｏｎメッセージを無線端末１に送信する（図６のａ１１）。
【００５８】
無線端末１はＲＡＮ  Ｍｏｂｉｌｉｔｙ  Ｉｎｆｏｍａｔｉｏｎメッセージを受信すると、ＲＡＮ  Ｍｏｂｉｌｉｔｙ  Ｉｎｆｏｍａｔｉｏｎ  Ｒｅｓｐｏｎｓｅメッセージをターゲット無線基地局制御局３ｂに送信する（図６のａ１２）。
【００５９】
ターゲット無線基地局制御局３ｂはＲＡＮ  Ｍｏｂｉｌｉｔｙ  Ｉｎｆｏｍａｔｉｏｎ  Ｒｅｓｐｏｎｓｅメッセージを受信すると、Ｒｅｌｏｃａｔｉｏｎ  ＣｏｍｐｌｅｔｅメッセージをＳＧＳＮ４に送信する（図６のａ１３）。以上で、リロケーション手順ａが完了する。
【００６０】
その後、ＳＧＳＮ４からＭＢＭＳサービスのコンテンツデータの送信開始を意味するＳｅｓｓｉｏｎ  Ｓｔａｒｔメッセージが送られてきた時（図６のａ１４）、ターゲット無線基地局制御局３ｂは、通常、メモリに記憶しているＭＢＭＳ  Ｃｏｎｔｅｘｔの中にあるセル毎の無線端末リストから、該ＭＢＭＳサービスにジョインした無線端末の数を知り、ＭＢＭＳサービスのコンテンツデータの転送をＰｔＰ方式及びＰｔＭ方式のいずれで行うかを決める。
【００６１】
ターゲット無線基地局制御局３ｂは、もうすぐ、ＭＢＭＳサービスのコンテンツデータが転送されることを通知するために、ＭＢＭＳ  Ｎｏｔｉｆｉｃａｔｉｏｎメッセージを無線上の共通チャネルで送信する（図６のａ１５）。
【００６２】
さらに、ターゲット無線基地局制御局３ｂはメモリに記憶しているＭＢＭＳ  Ｓｅｒｖｉｃｅ  Ｃｏｎｔｅｘｔの中にあるセル毎の無線端末リストのＩＭＳＩを使って、同メモリに記憶してあるＵＥ  Ｃｏｎｔｅｘｔを検索し、そのＵＥ  Ｃｏｎｔｅｘｔの中にあるＭＢＭＳ  ＵＥ  Ｃｏｎｔｅｘｔ  Ｉｎｆｏから、無線端末１が該ＭＢＭＳサービスにジョインしたことを認識し、その時点における無線端末１の状態で無線上の共通チャネルを受信することができないと判定すると、個別チャネルでＭＢＭＳ  Ｎｏｔｉｆｉｃａｔｉｏｎメッセージを送信し、もうすぐ、ＭＢＭＳサービスのコンテンツデータの転送が開始されることを通知する。
【００６３】
無線上の共通チャネルで送信されたＭＢＭＳ  Ｎｏｔｉｆｉｃａｔｉｏｎメッセージに対して応答してきた無線端末の数がなお閾値を超えず、ＰｔＭ方式で転送する条件を満たさない場合、ターゲット無線基地局制御局３ｂはＰｔＰ方式でＭＢＭＳサービスのコンテンツデータを転送する（図６のａ１６，ａ１７）。
【００６４】
本実施例では、ターゲット無線基地局制御局３ｂがＰｔＰ方式でＭＢＭＳサービスのコンテンツデータを転送することとし、ターゲット無線基地局制御局３ｂはメモリに記憶してあるＵＥ  Ｃｏｎｔｅｘｔの中にあるＭＢＭＳ  ＵＥ  Ｃｏｎｔｅｘｔから、無線端末１が該ＭＢＭＳサービスにジョインしたことを認識しているので、無線端末１に対してＭＢＭＳサービスのコンテンツデータを個別チャネルで転送することができる。
【００６５】
図７は本発明の第２の実施例によるリロケーション手順中にＭＢＭＳサービスの関連情報の転送を行う動作を示すシーケンスチャートである。本発明の第２の実施例による移動体通信システムは図１に示す本発明の第１の実施例による移動体通信システムと同様の構成となっており、ＭＢＭＳサービスの関連情報の転送動作が異なる以外は本発明の第１の実施例による移動体通信システムと同様の動作である。これら図１〜図５と図７とを参照して本発明の第２の実施例によるリロケーション手順中にＭＢＭＳサービス関連情報の転送を行う動作について説明する。
【００６６】
本実施例では、図６に示すように、ソース無線基地局制御局３ａが無線端末１がジョインしたＭＢＭＳサービスの関連情報をＳＧＳＮ４経由のＲｅｌｏｃａｔｉｏｎ  Ｒｅｑｕｉｒｅｄメッセージに設定しない代わりに、図７に示すように、ソース無線基地局制御局３ａから直接、ターゲット無線基地局制御局３ｂに送信するＲｅｌｏｃａｔｉｏｎ  Ｃｏｍｍｉｔメッセージに無線端末１がジョインしたＭＢＭＳサービスの関連情報を設定している。
【００６７】
無線端末１がソース無線基地局制御局３ａを通じて、ネットワークと通信中（図２参照）に、ＭＢＭＳサービスにジョインすると、ソース無線基地局制御局３ａは無線端末１がジョインしたＭＢＭＳサービスの関連情報をメモリに記憶する（図７のｂ１）。尚、無線端末１がＭＢＭＳサービスにジョインする場合には、図１のＭＢＭＳ制御装置７にジョインすることとなる。
【００６８】
無線端末１がソース無線基地局制御局３ａのエリアＡからターゲット無線基地局制御局３ｂのエリアＢに移動すると、ソース無線基地局制御局３ａはリロケーション手順ｂを実行することを決める（図７のｂ２）。
【００６９】
ソース無線基地局制御局３ａはＲｅｌｏｃａｔｉｏｎ  ＲｅｑｕｉｒｅｄメッセージをＳＧＳＮ４に送信する（図７のｂ３）。ＳＧＳＮ４はＲｅｌｏｃａｔｉｏｎ  Ｒｅｑｕｉｒｅｄメッセージを受信すると、ターゲット無線基地局制御局３ｂにＲｅｌｏｃａｔｉｏｎ  Ｒｅｑｕｅｓｔメッセージを送信する（図７のｂ４）。
【００７０】
ターゲット無線基地局制御局３ｂは無線端末１との通信を行うための無線リソースを設定し（図７のｂ５）、Ｒｅｌｏｃａｔｉｏｎ  Ｒｅｑｕｅｓｔ  ＡｃｋｎｏｗｌｅｄｇｅメッセージをＳＧＳＮ４に送信する（図７のｂ６）。ＳＧＳＮ４はソース無線基地局制御局３ａにＲｅｌｏｃａｔｉｏｎ  Ｃｏｍｍａｎｄメッセージを送信する（図７のｂ７）。
【００７１】
ソース無線基地局制御局３ａはＲｅｌｏｃａｔｉｏｎ  Ｃｏｍｍａｎｄメッセージを受信すると、Ｒｅｌｏｃａｔｉｏｎ  Ｃｏｍｍｉｔにメッセージ無線端末１がジョインしたＭＢＭＳサービスの関連情報（ＭＢＭＳサービスＩＤ、ＩＰ  Ｍｕｌｔｉｃａｓｔ  Ａｄｄｒｅｓｓ等）を設定し、ターゲット無線基地局制御局３ｂに送信する（図７のｂ８）。
【００７２】
ターゲット無線基地局制御局３ｂはＲｅｌｏｃａｔｉｏｎ  Ｃｏｍｍｉｔメッセージを受信すると、Ｒｅｌｏｃａｔｉｏｎ  ＣｏｍｍｉｔメッセージにあるＭＢＭＳサービスの関連情報（無線端末１がジョインしたＭＢＭＳサービスの関連情報）をメモリに記憶する（図７のｂ９）。
【００７３】
具体的に、ＵＥ  Ｃｏｎｔｅｘｔ（図４）を生成すると同時に、ＭＢＭＳ  ＵＥ  Ｃｏｎｔｅｘｔ  Ｉｎｆｏを作成し、無線端末１がジョインしたＭＢＭＳサービス関連情報を記憶する。ＭＢＭＳサービス関連情報とは、ＭＢＭＳサービスＩＤ，ＩＰ  Ｍｕｌｔｉｃａｓｔ  Ａｄｄｒｅｓｓ、ＡＰＮなどである。また、該ＭＢＭＳサービスに対応するＭＢＭＳ  Ｓｅｒｖｉｃｅ  Ｃｏｎｔｅｘｔが存在していないならば、生成し、ＭＢＭＳサービスＩＤ，ＩＰ  Ｍｕｌｔｉｃａｓｔ  Ａｄｄｒｅｓｓ、ＡＰＮ、ＭＢＭＳ  ＲＡＢ  Ｉｎｆｏ，及び該ＭＢＭＳサービスにジョインした無線端末１のＩＭＳＩをセルごとに記憶する。
【００７４】
また、ターゲット無線基地局制御局３ｂはＲｅｌｏｃａｔｉｏｎ  ＤｅｔｅｃｔメッセージをＳＧＳＮ４に送信し（図７のｂ１０）、ＲＡＮ  Ｍｏｂｉｌｉｔｙ  Ｉｎｆｏｍａｔｉｏｎメッセージを無線端末１に送信する（図７のｂ１１）。
【００７５】
無線端末１はＲＡＮ  Ｍｏｂｉｌｉｔｙ  Ｉｎｆｏｍａｔｉｏｎメッセージを受信すると、ＲＡＮ  Ｍｏｂｉｌｉｔｙ  Ｉｎｆｏｍａｔｉｏｎ  Ｒｅｓｐｏｎｓｅメッセージをターゲット無線基地局制御局３ｂに送信する（図７のｂ１２）。
【００７６】
ターゲット無線基地局制御局３ｂはＲＡＮ  Ｍｏｂｉｌｉｔｙ  Ｉｎｆｏｍａｔｉｏｎ  Ｒｅｓｐｏｎｓｅメッセージを受信すると、Ｒｅｌｏｃａｔｉｏｎ  ＣｏｍｐｌｅｔｅメッセージをＳＧＳＮ４に送信する（図７のｂ１３）。以上で、リロケーション手順ｂが完了する。
【００７７】
その後、ＳＧＳＮ４からＭＢＭＳサービスのコンテンツデータの送信開始を意味するＳｅｓｓｉｏｎ  Ｓｔａｒｔメッセージが送られてきた時（図７のｂ１４）、ターゲット無線基地局制御局３ｂは、通常、メモリに記憶しているＭＢＭＳ  Ｃｏｎｔｅｘｔの中にあるセル毎の無線端末リストから、該ＭＢＭＳサービスにジョインした無線端末の数を知り、ＭＢＭＳサービスのコンテンツデータの転送をＰｔＰ方式及びＰｔＭ方式のいずれで行うかを決める。
【００７８】
ターゲット無線基地局制御局３ｂは、もうすぐ、ＭＢＭＳサービスのコンテンツデータが転送されることを通知するために、ＭＢＭＳ  Ｎｏｔｉｆｉｃａｔｉｏｎメッセージを無線上の共通チャネルで送信する（図７のｂ１５）。
【００７９】
さらに、ターゲット無線基地局制御局３ｂはメモリに記憶しているＭＢＭＳ  Ｓｅｒｖｉｃｅ  Ｃｏｎｔｅｘｔの中にあるセル毎の無線端末リストのＩＭＳＩを使って、同メモリに記憶してあるＵＥ  Ｃｏｎｔｅｘｔを検索し、そのＵＥ  Ｃｏｎｔｅｘｔの中にあるＭＢＭＳ  ＵＥ  Ｃｏｎｔｅｘｔ  Ｉｎｆｏから、無線端末１が該ＭＢＭＳサービスにジョインしたことを認識し、その時点における無線端末１の状態で無線上の共通チャネルを受信することができないと判定すると、個別チャネルでＭＢＭＳ  Ｎｏｔｉｆｉｃａｔｉｏｎメッセージを送信し、もうすぐ、ＭＢＭＳサービスのコンテンツデータの転送が開始されることを通知する。
【００８０】
無線上の共通チャネルで送信されたＭＢＭＳ  Ｎｏｔｉｆｉｃａｔｉｏｎメッセージに対して応答してきた無線端末の数がなお閾値を超えず、ＰｔＭ方式で転送する条件を満たさない場合、ターゲット無線基地局制御局３ｂはＰｔＰ方式でＭＢＭＳサービスのコンテンツデータを転送する（図７のｂ１６，ｂ１７）。
【００８１】
本実施例では、ターゲット無線基地局制御局３ｂがＰｔＰ方式でＭＢＭＳサービスのコンテンツデータを転送することとし、ターゲット無線基地局制御局３ｂはメモリに記憶してあるＵＥ  Ｃｏｎｔｅｘｔの中にあるＭＢＭＳ  ＵＥ  Ｃｏｎｔｅｘｔから、無線端末１が該ＭＢＭＳサービスにジョインしたことを認識しているので、無線端末１に対してＭＢＭＳサービスのコンテンツデータを個別チャネルで転送することができる。
【００８２】
図８は本発明の第３の実施例によるリロケーション手順中にＭＢＭＳサービスの関連情報の転送を行う動作を示すシーケンスチャートである。本発明の第３の実施例による移動体通信システムは図１に示す本発明の第１の実施例による移動体通信システムと同様の構成となっており、ＭＢＭＳサービスの関連情報の転送動作が異なる以外は本発明の第１の実施例による移動体通信システムと同様の動作である。これら図１〜図５と図８とを参照して本発明の第３の実施例によるリロケーション手順中にＭＢＭＳサービス関連情報の転送を行う動作について説明する。
【００８３】
本実施例では、図６に示すように、ソース無線基地局制御局３ａが無線端末１がジョインしたＭＢＭＳサービスの関連情報をＳＧＳＮ４経由のＲｅｌｏｃａｔｉｏｎ  Ｒｅｑｕｉｒｅｄメッセージに設定しない代わりに、図８に示すように、リロケーション手順ｃが終了した後、ＳＧＳＮ４がターゲット無線基地局制御局３ｂに対して、ＭＢＭＳ  ＵＥ  Ｌｉｎｋｉｎｇメッセージを送信し、このＭＢＭＳ  ＵＥ  Ｌｉｎｋｉｎｇメッセージに無線端末１がジョインしたＭＢＭＳサービスの関連情報を含ませておく。尚、無線端末１がジョインしたＭＢＭＳサービスの関連情報はＳＧＳＮ４にて予め取得されている。
【００８４】
無線端末１がソース無線基地局制御局３ａを通じて、ネットワークと通信中（図２参照）に、ＭＢＭＳサービスにジョインすると、ソース無線基地局制御局３ａは無線端末１がジョインしたＭＢＭＳサービスの関連情報をメモリに記憶する（図８のｃ１）。尚、無線端末１がＭＢＭＳサービスにジョインする場合には、図１のＭＢＭＳ制御装置７にジョインすることとなる。
【００８５】
無線端末１がソース無線基地局制御局３ａのエリアＡからターゲット無線基地局制御局３ｂのエリアＢに移動すると、ソース無線基地局制御局３ａはリロケーション手順ｃを実行することを決める（図８のｃ２）。
【００８６】
ソース無線基地局制御局３ａはＲｅｌｏｃａｔｉｏｎ  ＲｅｑｕｉｒｅｄメッセージをＳＧＳＮ４に送信する（図８のｃ３）。ＳＧＳＮ４はＲｅｌｏｃａｔｉｏｎ  Ｒｅｑｕｉｒｅｄメッセージを受信すると、ターゲット無線基地局制御局３ｂにＲｅｌｏｃａｔｉｏｎ  Ｒｅｑｕｅｓｔメッセージを送信する（図８のｃ４）。
【００８７】
ターゲット無線基地局制御局３ｂは無線端末１との通信を行うための無線リソースを設定し（図８のｃ５）、Ｒｅｌｏｃａｔｉｏｎ  Ｒｅｑｕｅｓｔ  ＡｃｋｎｏｗｌｅｄｇｅメッセージをＳＧＳＮ４に送信する（図８のｃ６）。ＳＧＳＮ４はソース無線基地局制御局３ａにＲｅｌｏｃａｔｉｏｎ  Ｃｏｍｍａｎｄメッセージを送信する（図８のｃ７）。
【００８８】
ソース無線基地局制御局３ａはＲｅｌｏｃａｔｉｏｎ  Ｃｏｍｍａｎｄメッセージを受信すると、Ｒｅｌｏｃａｔｉｏｎ  Ｃｏｍｍｉｔメッセージをターゲット無線基地局制御局３ｂに送信する（図８のｃ８）。ターゲット無線基地局制御局３ｂはＲｅｌｏｃａｔｉｏｎ  Ｃｏｍｍｉｔメッセージを受信すると、Ｒｅｌｏｃａｔｉｏｎ  ＤｅｔｅｃｔメッセージをＳＧＳＮ４に送信し（図８のｃ９）、ＲＡＮ  Ｍｏｂｉｌｉｔｙ  Ｉｎｆｏｍａｔｉｏｎメッセージを無線端末１に送信する（図８のｃ１０）。
【００８９】
無線端末１はＲＡＮ  Ｍｏｂｉｌｉｔｙ  Ｉｎｆｏｍａｔｉｏｎメッセージを受信すると、ＲＡＮ  Ｍｏｂｉｌｉｔｙ  Ｉｎｆｏｍａｔｉｏｎ  Ｒｅｓｐｏｎｓｅメッセージをターゲット無線基地局制御局３ｂに送信する（図８のｃ１１）。
【００９０】
ターゲット無線基地局制御局３ｂはＲＡＮ  Ｍｏｂｉｌｉｔｙ  Ｉｎｆｏｍａｔｉｏｎ  Ｒｅｓｐｏｎｓｅメッセージを受信すると、Ｒｅｌｏｃａｔｉｏｎ  ＣｏｍｐｌｅｔｅメッセージをＳＧＳＮ４に送信する（図８のｃ１２）。以上で、リロケーション手順ｃが完了する。
【００９１】
このリロケーション手順ｃが完了した後、ＳＧＳＮ４はターゲット無線基地局制御局３ｂに対して、ＭＢＭＳ  ＵＥ  Ｌｉｎｋｉｎｇメッセージを送信し、このＭＢＭＳ  ＵＥ  Ｌｉｎｋｉｎｇメッセージに無線端末１がジョインしたＭＢＭＳサービスの関連情報（ＭＢＭＳサービスＩＤ、ＩＰ  Ｍｕｌｔｉｃａｓｔ  Ａｄｄｒｅｓｓ等）を含ませておく（図８のｃ１３）。
【００９２】
ターゲット無線基地局制御局３ｂはＳＧＳＮ４からＭＢＭＳ  ＵＥ  Ｌｉｎｋｉｎｇメッセージを受信すると、ＭＢＭＳ  ＵＥ  ＬｉｎｋｉｎｇメッセージにあるＭＢＭＳサービスの関連情報（無線端末１がジョインしたＭＢＭＳサービスの関連情報）をメモリに記憶する（図８のｃ１４）。
【００９３】
具体的に、ＵＥ  Ｃｏｎｔｅｘｔ（図４）を生成すると同時に、ＭＢＭＳ  ＵＥ  Ｃｏｎｔｅｘｔ  Ｉｎｆｏを作成し、無線端末１がジョインしたＭＢＭＳサービス関連情報を記憶する。ＭＢＭＳサービス関連情報とは、ＭＢＭＳサービスＩＤ，ＩＰ  Ｍｕｌｔｉｃａｓｔ  Ａｄｄｒｅｓｓ、ＡＰＮなどである。また、該ＭＢＭＳサービスに対応するＭＢＭＳ  Ｓｅｒｖｉｃｅ  Ｃｏｎｔｅｘｔが存在していないならば、生成し、ＭＢＭＳサービスＩＤ，ＩＰ  Ｍｕｌｔｉｃａｓｔ  Ａｄｄｒｅｓｓ、ＡＰＮ、ＭＢＭＳ  ＲＡＢ  Ｉｎｆｏ，及び該ＭＢＭＳサービスにジョインした無線端末１のＩＭＳＩをセルごとに記憶する。
【００９４】
その後、ＳＧＳＮ４からＭＢＭＳサービスのコンテンツデータの送信開始を意味するＳｅｓｓｉｏｎ  Ｓｔａｒｔメッセージが送られてきた時（図８のｃ１５）、ターゲット無線基地局制御局３ｂは、通常、メモリに記憶しているＭＢＭＳ  Ｃｏｎｔｅｘｔの中にあるセル毎の無線端末リストから、該ＭＢＭＳサービスにジョインした無線端末の数を知り、ＭＢＭＳサービスのコンテンツデータの転送をＰｔＰ方式及びＰｔＭ方式のいずれで行うかを決める。
【００９５】
ターゲット無線基地局制御局３ｂは、もうすぐ、ＭＢＭＳサービスのコンテンツデータが転送されることを通知するために、ＭＢＭＳ  Ｎｏｔｉｆｉｃａｔｉｏｎメッセージを無線上の共通チャネルで送信する（図８のｃ１６）。
【００９６】
さらに、ターゲット無線基地局制御局３ｂはメモリに記憶しているＭＢＭＳ  Ｓｅｒｖｉｃｅ  Ｃｏｎｔｅｘｔの中にあるセル毎の無線端末リストのＩＭＳＩを使って、同メモリに記憶してあるＵＥ  Ｃｏｎｔｅｘｔを検索し、そのＵＥ  Ｃｏｎｔｅｘｔの中にあるＭＢＭＳ  ＵＥ  Ｃｏｎｔｅｘｔ  Ｉｎｆｏから、無線端末１が該ＭＢＭＳサービスにジョインしたことを認識し、その時点における無線端末１の状態で無線上の共通チャネルを受信することができないと判定すると、個別チャネルでＭＢＭＳ  Ｎｏｔｉｆｉｃａｔｉｏｎメッセージを送信し、もうすぐ、ＭＢＭＳサービスのコンテンツデータの転送が開始されることを通知する。
【００９７】
無線上の共通チャネルで送信されたＭＢＭＳ  Ｎｏｔｉｆｉｃａｔｉｏｎメッセージに対して応答してきた無線端末の数がなお閾値を超えず、ＰｔＭ方式で転送する条件を満たさない場合、ターゲット無線基地局制御局３ｂはＰｔＰ方式でＭＢＭＳサービスのコンテンツデータを転送する（図８のｃ１７，ｃ１８）。
【００９８】
本実施例では、ターゲット無線基地局制御局３ｂがＰｔＰ方式でＭＢＭＳサービスのコンテンツデータを転送することとし、ターゲット無線基地局制御局３ｂはメモリに記憶してあるＵＥ  Ｃｏｎｔｅｘｔの中にあるＭＢＭＳ  ＵＥ  Ｃｏｎｔｅｘｔから、無線端末１が該ＭＢＭＳサービスにジョインしたことを認識しているので、無線端末１に対してＭＢＭＳサービスのコンテンツデータを個別チャネルで転送することができる。
【００９９】
図９は本発明の第４の実施例によるリロケーション手順中にＭＢＭＳサービスの関連情報の転送を行う動作を示すシーケンスチャートである。本発明の第４の実施例による移動体通信システムは図１に示す本発明の第１の実施例による移動体通信システムと同様の構成となっており、ＭＢＭＳサービスの関連情報の転送動作が異なる以外は本発明の第１の実施例による移動体通信システムと同様の動作である。これら図１〜図５と図９とを参照して本発明の第４の実施例によるリロケーション手順中にＭＢＭＳサービス関連情報の転送を行う動作について説明する。
【０１００】
本実施例では、図６に示すように、ソース無線基地局制御局３ａが無線端末１がジョインしたＭＢＭＳサービスの関連情報をＳＧＳＮ４経由のＲｅｌｏｃａｔｉｏｎ  Ｒｅｑｕｉｒｅｄメッセージに設定しない代わりに、図９に示すように、ＳＧＳＮ４がターゲット無線基地局制御局３ｂにＲｅｌｏｃａｔｉｏｎ  Ｒｅｑｕｅｓｔメッセージを送信する時に、無線端末１がジョインしたＭＢＭＳサービスの関連情報を設定している。尚、無線端末１がジョインしたＭＢＭＳサービスの関連情報はＳＧＳＮ４にて予め取得されている。
【０１０１】
無線端末１がソース無線基地局制御局３ａを通じて、ネットワークと通信中（図２参照）に、ＭＢＭＳサービスにジョインすると、ソース無線基地局制御局３ａは無線端末１がジョインしたＭＢＭＳサービスの関連情報をメモリに記憶する（図９のｄ１）。尚、無線端末１がＭＢＭＳサービスにジョインする場合には、図１のＭＢＭＳ制御装置７にジョインすることとなる。
【０１０２】
無線端末１がソース無線基地局制御局３ａのエリアＡからターゲット無線基地局制御局３ｂのエリアＢに移動すると、ソース無線基地局制御局３ａはリロケーション手順ｄを実行することを決める（図９のｄ２）。
【０１０３】
ソース無線基地局制御局３ａはＲｅｌｏｃａｔｉｏｎ  ＲｅｑｕｉｒｅｄメッセージをＳＧＳＮ４に送信する（図９のｄ３）。ＳＧＳＮ４はＲｅｌｏｃａｔｉｏｎ  Ｒｅｑｕｉｒｅｄメッセージを受信すると、Ｒｅｌｏｃａｔｉｏｎ  Ｒｅｑｕｅｓｔメッセージに無線端末１がジョインしたＭＢＭＳサービスの関連情報（ＭＢＭＳサービスＩＤ、ＩＰ  Ｍｕｌｔｉｃａｓｔ  Ａｄｄｒｅｓｓ等）を設定し、ターゲット無線基地局制御局３ｂに送信する（図９のｄ４）。
【０１０４】
ターゲット無線基地局制御局３ｂは無線端末１との通信を行うための無線リソースを設定し（図９のｄ５）、Ｒｅｌｏｃａｔｉｏｎ  ＲｅｑｕｅｓｔメッセージにあるＭＢＭＳサービスの関連情報（無線端末１がジョインしたＭＢＭＳサービスの関連情報）をメモリに記憶する（図９のｄ６）。
【０１０５】
具体的に、ＵＥ  Ｃｏｎｔｅｘｔ（図４）を生成すると同時に、ＭＢＭＳ  ＵＥ  Ｃｏｎｔｅｘｔ  Ｉｎｆｏを作成し、無線端末１がジョインしたＭＢＭＳサービス関連情報を記憶する。ＭＢＭＳサービス関連情報とは、ＭＢＭＳサービスＩＤ，ＩＰ  Ｍｕｌｔｉｃａｓｔ  Ａｄｄｒｅｓｓ、ＡＰＮなどである。また、該ＭＢＭＳサービスに対応するＭＢＭＳ  Ｓｅｒｖｉｃｅ  Ｃｏｎｔｅｘｔが存在していないならば、生成し、ＭＢＭＳサービスＩＤ，ＩＰ  Ｍｕｌｔｉｃａｓｔ  Ａｄｄｒｅｓｓ、ＡＰＮ、ＭＢＭＳ  ＲＡＢ  Ｉｎｆｏ，及び該ＭＢＭＳサービスにジョインした無線端末１のＩＭＳＩをセルごとに記憶する。
【０１０６】
ターゲット無線基地局制御局３ｂはＲｅｌｏｃａｔｉｏｎ  Ｒｅｑｕｅｓｔ  ＡｃｋｎｏｗｌｅｄｇｅメッセージをＳＧＳＮ４に送信する（図９のｄ７）。ＳＧＳＮ４はソース無線基地局制御局３ａにＲｅｌｏｃａｔｉｏｎ  Ｃｏｍｍａｎｄメッセージを送信する（図９のｄ８）。
【０１０７】
ソース無線基地局制御局３ａはＲｅｌｏｃａｔｉｏｎ  Ｃｏｍｍａｎｄメッセージを受信すると、Ｒｅｌｏｃａｔｉｏｎ  Ｃｏｍｍｉｔメッセージをターゲット無線基地局制御局３ｂに送信する（図９のｄ９）。ターゲット無線基地局制御局３ｂはＲｅｌｏｃａｔｉｏｎ  Ｃｏｍｍｉｔメッセージを受信すると、Ｒｅｌｏｃａｔｉｏｎ  ＤｅｔｅｃｔメッセージをＳＧＳＮ４に送信し（図９のｄ１０）、ＲＡＮ  Ｍｏｂｉｌｉｔｙ  Ｉｎｆｏｍａｔｉｏｎメッセージを無線端末１に送信する（図９のｄ１１）。
【０１０８】
無線端末１はＲＡＮ  Ｍｏｂｉｌｉｔｙ  Ｉｎｆｏｍａｔｉｏｎメッセージを受信すると、ＲＡＮ  Ｍｏｂｉｌｉｔｙ  Ｉｎｆｏｍａｔｉｏｎ  Ｒｅｓｐｏｎｓｅメッセージをターゲット無線基地局制御局３ｂに送信する（図９のｄ１２）。
【０１０９】
ターゲット無線基地局制御局３ｂはＲＡＮ  Ｍｏｂｉｌｉｔｙ  Ｉｎｆｏｍａｔｉｏｎ  Ｒｅｓｐｏｎｓｅメッセージを受信すると、Ｒｅｌｏｃａｔｉｏｎ  ＣｏｍｐｌｅｔｅメッセージをＳＧＳＮ４に送信する（図９のｄ１３）。以上で、リロケーション手順ｄが完了する。
【０１１０】
その後、ＳＧＳＮ４からＭＢＭＳサービスのコンテンツデータの送信開始を意味するＳｅｓｓｉｏｎ  Ｓｔａｒｔメッセージが送られてきた時（図９のｄ１４）、ターゲット無線基地局制御局３ｂは、通常、メモリに記憶しているＭＢＭＳ  Ｃｏｎｔｅｘｔの中にあるセル毎の無線端末リストから、該ＭＢＭＳサービスにジョインした無線端末の数を知り、ＭＢＭＳサービスのコンテンツデータの転送をＰｔＰ方式及びＰｔＭ方式のいずれで行うかを決める。
【０１１１】
ターゲット無線基地局制御局３ｂは、もうすぐ、ＭＢＭＳサービスのコンテンツデータが転送されることを通知するために、ＭＢＭＳ  Ｎｏｔｉｆｉｃａｔｉｏｎメッセージを無線上の共通チャネルで送信する（図９のｄ１５）。
【０１１２】
さらに、ターゲット無線基地局制御局３ｂはメモリに記憶しているＭＢＭＳ  Ｓｅｒｖｉｃｅ  Ｃｏｎｔｅｘｔの中にあるセル毎の無線端末リストのＩＭＳＩを使って、同メモリに記憶してあるＵＥ  Ｃｏｎｔｅｘｔを検索し、そのＵＥ  Ｃｏｎｔｅｘｔの中にあるＭＢＭＳ  ＵＥ  Ｃｏｎｔｅｘｔ  Ｉｎｆｏから、無線端末１が該ＭＢＭＳサービスにジョインしたことを認識し、その時点における無線端末１の状態で無線上の共通チャネルを受信することができないと判定すると、個別チャネルでＭＢＭＳ  Ｎｏｔｉｆｉｃａｔｉｏｎメッセージを送信し、もうすぐ、ＭＢＭＳサービスのコンテンツデータの転送が開始されることを通知する。
【０１１３】
無線上の共通チャネルで送信されたＭＢＭＳ  Ｎｏｔｉｆｉｃａｔｉｏｎメッセージに対して応答してきた無線端末の数がなお閾値を超えず、ＰｔＭ方式で転送する条件を満たさない場合、ターゲット無線基地局制御局３ｂはＰｔＰ方式でＭＢＭＳサービスのコンテンツデータを転送する（図９のｄ１６，ｄ１７）。
【０１１４】
本実施例では、ターゲット無線基地局制御局３ｂがＰｔＰ方式でＭＢＭＳサービスのコンテンツデータを転送することとし、ターゲット無線基地局制御局３ｂはメモリに記憶してあるＵＥ  Ｃｏｎｔｅｘｔの中にあるＭＢＭＳ  ＵＥ  Ｃｏｎｔｅｘｔから、無線端末１が該ＭＢＭＳサービスにジョインしたことを認識しているので、無線端末１に対してＭＢＭＳサービスのコンテンツデータを個別チャネルで転送することができる。
【０１１５】
このように、本発明では、ソース無線基地局制御局３ａがリロケーション実行時に、無線端末１がジョインしたＭＢＭＳサービスの関連情報をターゲット無線基地局制御局３ｂに転送することによって、ターゲット無線基地局制御局３ｂが正確にＰｔＰ方式かＰｔＭ方式かを決めることができるだけでなく、ターゲット無線基地局制御局３ｂが無線端末１に個別チャネルでＭＢＭＳ  Ｎｏｔｉｆｉｃａｔｉｏｎメッセージを送信し、もうすぐ、ＭＢＭＳサービスのコンテンツデータの転送が開始されることを通知することができる。また、ターゲット無線基地局制御局３ｂがＰｔＰ方式と決める場合でも、無線端末１にＭＢＭＳサービスのコンテンツデータを転送することができる。
【０１１６】
その理由として、リロケーション中に、無線端末１がジョインしたＭＢＭＳサービスの関連情報がターゲット無線基地局制御局３ｂに転送されるため、ターゲット無線基地局制御局３ｂがＵＥ  Ｃｏｎｔｅｘｔの中にあるＭＢＭＳ  ＵＥ  Ｃｏｎｔｅｘｔとして記憶することができ、後にＳＧＳＮ４からＳｅｓｓｉｏｎ  Ｓｔａｒｔメッセージを受信した時、ＭＢＭＳ  Ｓｅｒｖｉｃｅ  ＣｏｎｔｅｘｔからＭＢＭＳサービスにジョインした無線端末の数を正確に知ることができ、後にＭＢＭＳサービスのコンテンツデータを転送する方式としてＰｔＰ方式かＰｔＭ方式かを正確に決めることができる。
【０１１７】
また、ターゲット無線基地局制御局３ｂはもうすぐ、ＭＢＭＳサービスのコンテンツデータが転送されることを通知するために、ＭＢＭＳ  Ｎｏｔｉｆｉｃａｔｉｏｎメッセージを無線上の共通チャネルで送信するが、ＵＥ  Ｃｏｎｔｅｘｔの中にあるＭＢＭＳ  ＵＥ  Ｃｏｎｔｅｘｔから、無線端末１が該ＭＢＭＳサービスにジョインしたことを知り、ＵＥ  Ｃｏｎｔｅｘｔから無線端末１の状態に応じて、無線端末１が無線上の共通チャネルを受信できない状態であれば、個別チャネルでＭＢＭＳ  Ｎｏｔｉｆｉｃａｔｉｏｎメッセージを送信し、もうすぐ、ＭＢＭＳサービスのコンテンツデータの転送が開始されることを通知することができる。
【０１１８】
さらに、ターゲット無線基地局制御局３ｂは、ＰｔＰ方式と決める場合、ＵＥ  Ｃｏｎｔｅｘｔの中にあるＭＢＭＳ  ＵＥ  Ｃｏｎｔｅｘｔから、無線端末１が該ＭＢＭＳサービスにジョインしたことを知り、無線端末１に対して個別チャネルでＭＢＭＳサービスのコンテンツデータを転送することができる。
【図面の簡単な説明】
【０１１９】
【図１】本発明の第１の実施例による移動体通信システムの構成を示すブロック図である。
【図２】図１の無線端末がソース無線基地局制御局と通信している状態（リロケーション前の状態）を示す図である。
【図３】図１の無線端末がターゲット無線基地局制御局と通信している状態（リロケーション後の状態）を示す図である。
【図４】図１の無線基地局制御局におけるＵＥ  Ｃｏｎｔｅｘｔを示す図である。
【図５】図１の無線基地局制御局におけるＭＢＭＳ  Ｓｅｒｖｉｃｅ  Ｃｏｎｔｅｘｔを示す図である。
【図６】本発明の第１の実施例によるリロケーション手順中にＭＢＭＳサービスの関連情報の転送を行う動作を示すシーケンスチャートである。
【図７】本発明の第２の実施例によるリロケーション手順中にＭＢＭＳサービスの関連情報の転送を行う動作を示すシーケンスチャートである。
【図８】本発明の第３の実施例によるリロケーション手順中にＭＢＭＳサービスの関連情報の転送を行う動作を示すシーケンスチャートである。
【図９】本発明の第４の実施例によるリロケーション手順中にＭＢＭＳサービスの関連情報の転送を行う動作を示すシーケンスチャートである。
【図１０】ＭＢＭＳにおける制御シーケンスを示すシーケンスチャートである。
【図１１】リロケーション手順の実行時の制御シーケンスを示すシーケンスチャートである。
【符号の説明】
【０１２０】
１  無線端末
２，２ａ−１〜２ａ−４，
２ｂ−１〜２ｂ−４  無線基地局
３  無線基地局制御局
３ａ  ソース無線基地局制御局
３ｂ  ターゲット無線基地局制御局
４  ＳＧＳＮ
５  ＨＬＲ
６  ＧＧＳＮ
７  ＭＢＭＳ制御装置
８，９  コンテンツサーバ
【図１】
0004720892.tif 000002
【図２】
0004720892.tif 000003
【図３】
0004720892.tif 000004
【図４】
0004720892.tif 000005
【図５】
0004720892.tif 000006
【図６】
0004720892.tif 000007
【図７】
0004720892.tif 000008
【図８】
0004720892.tif 000009
【図９】
0004720892.tif 000010
【図１０】
0004720892.tif 000011
【図１１】
0004720892.tif 000012